(57)【特許請求の範囲】
【請求項１】
食器収納用の上かごと下かごとを収納可能な食器収納槽を覆う外郭を有する本体と、食器洗浄用の加圧水供給手段と、水を温水へ変え、また、前記食器収納槽内の温度を上昇させるためのヒータと、前記食器収納槽内の洗浄水を機外へ排出する排水ポンプを有し、食器の洗浄行程、水すすぎ行程、温水すすぎ行程及び、乾燥の行程を実行する制御装置を備えた食器洗い機において、前記下かごの食器に対して前記食器収納槽の下側に、水を噴射する回転ノズルを複数個設けると共に、複数の噴射孔を二列に千鳥状に配設して噴射水の噴射方向が対向する列に向かってクロスしてV型に噴射する棒状固定ノズルを設け、前記上かごの食器に対して固定噴射ノズルをほぼ食器ごとに洗浄槽の天面に配設し、前記固定噴射ノズルの形状を変えたものを複数列に配設したことを特徴とする食器洗い機。
【請求項２】
請求項１に記載の食器洗い機において、前記洗浄槽の天面に複数種類の噴射ノズルを配設すると共に、それぞれの噴射ノズルは複数の噴射孔を有し、該噴射孔の噴射角度が変えてあることを特徴とする食器洗い機。
【請求項３】
請求項２に記載の食器洗い機において、前記洗浄槽の天面に配設された噴射ノズルの一つは、それぞれの噴射孔の噴射水出口の上部もしくは下部の外周部にスリットもしくは溝を設け、噴射水を拡散させる構造としたことを特徴とする食器洗い機。
【請求項４】
請求項2に記載の食器洗い機において、それぞれの噴射孔の噴射水出口の上部もしくは下部の外周部にスリットもしくは溝を設け、噴射水の拡散させる構造としたことを特徴とする食器洗い機。
【請求項５】
請求項２に記載の食器洗い機において、取り付けを圧力水供給配管部にし、該配管との固定において、ガイドを挿入し回転させて固定すると共に、水漏れ防止用の円筒ラビリンスを取り付け部に設けたことを特徴とする食器洗い機。
【請求項６】
請求項２に記載の食器洗い機において、天面に配置させた固定ノズルを半球状の突起形状とし、その半球面に複数個の噴射孔を設けると共に、該噴射孔の一部にスリットを設けたことを特徴とする食器洗い機。
【請求項７】
請求項１に記載の食器洗い機において、前記食器収納槽の左右側面にレールを設け、前記上かごの左右に上ガイドと下ガイドとを設け、上下２段階に前記食器収納槽に前記上カゴをセットすることができる食器洗い機。
【発明の詳細な説明】
【０００１】
【発明の属する技術分野】
本発明は、食器洗浄機に係り、特に食器洗い機の洗浄性能向上を図る噴射ノズルの構造に関するものである。
【０００２】
【従来の技術】
まず、従来の製品により、本発明の必要性について図２，図３，図４を引用して説明する。食器洗い機の一連の行程は、「加熱洗い」、「水すすぎ」、「温水すすぎ」、「乾燥」の順で行われるのが一般的であり、「加熱洗い」は、温度と加圧水の水圧・水量により洗浄力が左右される。また、「温水すすぎ」は、抗菌及び次行程の「乾燥」を行うための予熱行程でもあり、最高温度７０〜８０℃まで加熱している。
【０００３】
また、食器洗い機１において、加圧水供給手段である洗浄ポンプ２に空気を巻き込んだ場合、加圧水量が減りかつ騒音が大きくなるため、各行程の供給水量は、加圧水量とのバランスにより決定されている。加圧水供給手段である洗浄ポンプ２は通常一定出力のため、加圧水量は各行程とも一定量となり、「加熱洗い」における加圧水量とのバランスにより決定した供給水量が各行程の供給水量となる。この供給水量を洗浄ポンプ２により循環させ、回転ノズル３，スイングノズル４，ロータリーノズル５，上シャワー固定噴射ノズル６，スポットノズル７の小孔から噴射水を食器に当て洗浄工程で汚れを落とし、すすぎ行程で食器をすすぐ。
【０００４】
すすぎ行程終了後、ＰＴＣヒータに送風ファンにて風を送り、送風口８から温風を洗浄槽９内に送り込み食器を乾燥する。上記、従来製品は狭いスペースでも設置可能な奥行き２３．５ｃｍの薄形卓上食器洗い機である。薄形であるため、食器の配置は、図３の上かご１０と図４の下かご１１の２箇所にセットする構成を有している。今回の開発製品においては、図３の上かご１０のセット位置を変えられる構造とした。
【０００５】
即ち、図２のレール１２に図３の上かご１０一体のローラ１３を差し込む構造であるが、このローラ１３部を２段にすることで天面と上かご１０とのスペースを変更可能（３２ｍｍの上下差とした。）とし、食器収納用上かごを上下２段階にセットできるようにし、大きい食器でもセットできる構造としたものである。
【０００６】
しかし、現状構造のままでは、上記スペースを大きくした場合、上かご１０を下げると上かご１０とロータリーノズル５（洗浄槽のほぼ中央に配設した竿状の回転ノズル）が当たり洗浄不可能となる。本体の高さを高くすれば、ロータリーノズル５を使用できるが、キッチンの設置スペースから高さは現状が限界であり、ロータリーノズル５を取り除く構造とした。しかし、ロータリーノズル５を取り除くと、特に図４に示す、食器収納用下かご１１に配置された食器の洗浄性能が低下した。さらに、今回、食器収納用下かご１１は、左右どちらでも設置可能な構造とした、左右入れ替え方式を採用しているため、食器の配置、箸かご１４の位置が変わるため、特に、箸かご１４の位置を向かって右側に配置させると箸かご１４の洗浄性能が大幅に低下してしまう。
【０００７】
【発明が解決しようとする課題】
本発明は、上述した種々の問題を考慮し、食器収納上かごが上下２段階にセットされても、また、食器収納下かごが左右入れ替えられても、ノズルからの噴射水が食器に当たるように洗浄槽内の回転ノズル、固定ノズルの配置および固定ノズル形状を食器配置に合わせた構造にすることで、洗浄・すすぎ性能を向上させた食器洗い機を提供することにある。
【０００８】
【課題を解決するための手段】
上記課題を解決するために本発明の食器洗い機は、食器収納用の上かごと下かごとを収納可能な食器収納槽を覆う外郭を有する本体と、食器洗浄用の加圧水供給手段と、水を温水へ変え、また、前記食器収納槽内の温度を上昇させるためのヒータと、前記食器収納槽内の洗浄水を機外へ排出する排水ポンプを有し、食器の洗浄行程、水すすぎ行程、温水すすぎ行程及び、乾燥の行程を実行する制御装置を備えた食器洗い機において、前記下かごの食器に対して前記食器収納槽の下側に、水を噴射する回転ノズルを複数個設けると共に、複数の噴射孔を二列に千鳥状に配設して噴射水の噴射方向が対向する列に向かってクロスしてV型に噴射する棒状固定ノズルを設け、前記上かごの食器に対して固定噴射ノズルをほぼ食器ごとに洗浄槽の天面に配設し、前記固定噴射ノズルの形状を変えたものを複数列に配設した。
【００１０】
【発明の実施の形態】
以下、本発明の一実施例、構成及びその作用、効果について、図１、図５、図６、図７、図８、図９、図１０を引用して詳細に説明する。まず、図１、図５より説明に入る。図１は、本発明の卓上食器洗い機の内部構造を示す斜視図である。図５は、本発明の卓上食器洗い機の外観を示す斜視図である。
【００１１】
食器洗い機１は、箱型の外枠２１を有している。外枠２１内には、洗浄槽９が配置されており、その手前に前方に開口するドア２２が設けられている。ドア２２は、上ドア２２ａと下ドア２２ｂからなっている。ドア２２の中央には、取っ手２３とロックボタン２４が設けられている。ドア２２の開放は、ロックボタン２４を押し、ロックを解除して取っ手２３を手前に引くとア−ム２５により開放できる。下ドア２２ｂには、蓋スイッチ２６のＯＮ−ＯＦＦ動作を連動させるためのラッチ２７が設置してある。洗浄槽９には、段部２８が設けられており、図６に示す食器収納用下かご２９を設置する構造である。該下かご２９は、本体を右置き・左置きのどちらの場合でも食器を入れやすくするために、左右入れ替えを可能としている。また、食器収納用下かご２９の中央部には、箸かご３０を配置できる構造としている。食器収納用下かご２９は、大皿、中皿、フライパン、鍋、ボール、グラス等をセットして洗浄することができる。図７に食器収納用上かご３１を示す。該上かご３１は、洗浄槽９の左右側面に設けられたレール３２に上ガイド３３または下ガイド３４を挿入することでセットする。上ガイド３３をレール３２に挿入した場合、直径１４ｃｍの大きな茶碗もセットできる。また、下ガイド３４をレール３２に挿入した場合、食器収納用下かご２９に直径２７ｃｍまでの大皿をセットできる。
【００１２】
洗浄槽９の下方には、図５に示すように、洗浄ポンプ３６、排水ポンプ３５、送風装置３７が配置されており、洗浄ポンプ３６は、ポンプモータ３８を有している。残菜フィルター３９の下には、水を温水に変えるためのシーズヒータ４０が配置されている。食器収納用下かご２９の真下には、中央部を支点として回転する回転ノズル４１が左右に設けられている。回転ノズル４１の上面には、複数個の小孔４２が設けられている。洗浄槽９の下方前面には、操作パネル４３が取付けられ、この裏に各電気部品を制御するコントローラが配置されている。４４は、電源スイッチである。
【００１３】
ここで前記構成よりなる食器洗い機１の洗浄、水すすぎ、温水すすぎ、乾燥動作について説明する。まず、洗浄動作は、図１の電源スイッチ４４を押し、操作パネル４３のコース設定ボタンを押し、そして、スタートボタン４５を押すことにより、給水電磁弁（図示せず）に通電し、給水口４６から洗浄槽９内に水を給水して、シーズヒータ４０に通電した状態でポンプモータ３８に通電し、洗浄ポンプ３６内のランナーを回転させて、洗浄槽９の底部に配置されている水溜め部より水を吸い込み、ポンプ吐出し口４７より、圧力水供給配管１０１を介して、食器収納用下かご２９の下方に配置した２個の回転ノズル４２、Ｖ型噴射ノズル４８に圧力水を供給する。また、食器収納用上かご３１の上方に配置した上シャワー固定噴射ノズル６０、７０、８０内に圧力水を供給する。そして、それぞれのノズルの小孔４２から食器収納用下かご２９、食器収納用上かご３１内の食器に圧力水を直接噴射することにより、これらに、付着している汚れを剥離、分散させる。この時、温水の温度は、６０℃程度なで上げられる。一定時間洗浄が行なわれたならば、シーズヒータ４０の通電を停止して洗浄動作を終了させ、排水ポンプ３５を駆動させ、洗浄槽９内の洗浄水を機外に排出させる。
【００１４】
次に、水すすぎ動作は、前記洗浄動作と同じ動作をシーズヒータ４０をＯＦＦした状態で１〜２分程度、数回繰り返して行なう。温水すすぎ動作時には、また、シーズヒータ４０への通電を行ない、洗浄工程と同じ工程で進む。温水は、８０℃程度まで上げられる。最後に、乾燥動作は、送風装置３７に通電して送風装置３７内のファンを回転させ、ＰＴＣヒータ（図示せず）に風をあて、温風にして送風通路５０を介して送風口５１から洗浄槽９内に送風する。
【００１５】
この温風により、洗浄槽９内に付着している水滴、及び残水、さらには、食器収納用下かご２９や食器収納用上かご３１内に収納されている食器に付着している水滴を蒸気に変え、排気口５２を介して機外に排出する。そして、一定時間乾燥動作が行なわれたならば、食器洗い機１の運転が終了する。
【００１６】
次に、本発明の主要構成である各ノズルの配置構成、形状について、図８、図９、図１０、図１１を引用して説明する。図８は本発明を具備した食器洗い機の棒状固定ノズルの構造を示す断面図と正面図である。図９は、棒状固定ノズルの構造を示す上面図である。このノズル６０は、食器収納用上かごの上下移動３２ｍｍに対応した本体正面より向かって左先端の食器洗浄・すすぎにおける噴射水を食器の大きさが変わっても万遍なく水をかける構造を有するものである。棒状の筒に傾斜をつけ、３個の噴射孔６２ａ、６２ｂ、６２ｃを設けてある。それぞれの噴射孔６２ａ、６２ｂ、６２ｃの最下端には、ベロ６３ａ、６３ｂ、６３ｃを設け噴射水がベロに沿って拡散するような構造としている。棒状の筒の角度を約３５°として、噴射水の吐き出し位置を変え、食器の上下移動、サイズに対応する構造を有している。６１は爪であり、洗浄槽の天面の角穴に固定する構造となっている。
【００１７】
次に、図１０、図１１、図１２により汁碗、茶碗への噴射水対応の固定ノズルについて説明する。図１０は、本発明の２段噴射拡散固定ノズルの縦断面である。図１１は、本発明の２段噴射拡散固定ノズルの下面図である。図１２は、本発明の２段噴射拡散固定ノズルの横断面図である。２段噴射拡散固定ノズル７０は、２箇所の噴射孔７２ａ、７２ｂを配設してある。後の噴射孔７２ａは、傾斜が約３５°に設定されている。これは、上かごを３０ｍｍ下にセットして小さな茶碗を洗浄する場合でも食器の内側面に噴射水がスムーズに入るようにしている。７４ａ、７４ｂは、噴射孔の上部出口に設けられた幅、深さ共に０．５ｍｍ程度の溝である。この溝を設けることで噴射水の拡散を容易にしている。本発明においては、この２段噴射拡散固定ノズルを複数個で、爪６１を洗浄槽側の角穴に挿入、固定する構造である。
【００１８】
図１３は、本発明のV型噴射固定ノズルの上面図および右側面図である。このV型噴射固定ノズルは、洗浄槽の下方部に設けられた圧力水供給配管のほぼ中央部にガイド９５をはめ込み、９３のストッパーの位置まで回転させることで固定する。９４は圧力水の水漏れを防止する円筒ラビリンスである。円筒の筒状の周部に千鳥状に突起９２を出し、そのほぼ先端部に噴射孔９１を配設する構造である。噴射水は対抗する噴射孔から放出される水がクロスしながらＶ型に放水され、洗浄槽の天面まで上がる。洗浄の狙いは、箸かごにセットされた箸、スプーン、フォーク、ナイフ等に洗浄である。本発明の製品においては、下かごが左右どちらにも配置できる構成を有しているため、箸かごの位置が、下かごの右置きと左置きで変わるのとを考慮して、Ｖ型に噴射させることで双方に対応する構造としている。
【００１９】
図１４は、本発明の半球噴射固定ノズルの斜視図である。このノズルは、洗浄槽天面前方に設け、小皿、小鉢等の洗浄に使用する。上カゴが３０ｍｍほど上下することより、噴射水の出る方向をほぼ天面と平行にそして、天面に対し４５°の角度下方に、さらに天面と垂直に噴射水を放水し、食器にあてる構造である。ノズルを半球突起８２にすることで複数の噴射孔に対応した形状である。横噴射孔８４ａ、斜め噴射孔８４ｂ、下噴射孔８４ｃの３方向より噴射水を出すノズルである。８１は拡散用のスリットである。６１の爪により、洗浄槽天面に固定される。
【００２０】
図１５は、本発明の圧力水供給配管１０１噴射ノズルの上面図および拡大上面図と拡大断面図である。この噴射孔は、箸かご内の洗浄に使用される。各２個の噴射孔で２箇所に設けてある。この２箇所は、下かごを左右に取り付け可能な本体に対し、箸かごの場所が変わっても対応できる構造としたものである。外径３ｍｍの孔４個によりデットスペースである洗浄槽奥を洗浄する。１０８の流入口から入った圧力水は、回転ノズル固定軸１０２、１０４そして、固定ノズル固定軸１０３および圧力水供給配管１０１からの噴射孔１０５、１０７等４箇所から噴射される。この噴射においては、噴射孔１０５に繋がったスリット１０６に傾斜１０８を設けることで垂直に噴射する圧力水に角度（θ）をつける構造である。以上説明した本実施例の具体例について二つ説明する。まず、食器収納用上かご内の食器洗浄においては、食器の配置に合せ２列の固定ノズルを配置させる。奥の列には、向かって左より汁碗６個、茶碗６個の食器に合せ、固定ノズルを配置させる。この固定ノズルにおいて、向かって最左端のノズルは、縦方向に３個の噴射孔を設け、そして、その他の固定ノズルは食器の配列方向にそれぞれ２個の噴射孔を設ける構造として食器全体に洗浄水もしくはすすぎ水をかけるような構成とした。手前の列には、小皿１０個の食器に合せ６個の固定ノズルを配置させる。そしてそれぞれの固定ノズルに２個の噴射孔を設ける構造としている。以上のノズルにより、上かごを上下に３２ｍｍずらしても食器表面に噴射水を当てる構成としている。次に食器収納用下かごの食器洗浄について説明する。食器収納用下かごへの食器セットは、大皿、中皿、コップそして、箸かご内にセットする箸、スプーン、フォーク、ナイフ等である。また、フライパン、鍋等の調理器具も入れられる構造である。食器収納用下かごは、本体の配置により、左右を入れ替えられる構成にしていることより、左右に回転ノズルをそして、中央にＶ型に噴射する固定ノズルを配設して対応する。本体を狭いスペースでも設置可能なサイズ（薄形２３．５ｃｍの奥行き、幅５５ｃｍ、高さ６１ｃｍのサイズ）としているため、回転ノズルを３個設けることができない構造であるため、中央にＶ型噴射固定ノズルの設置は必須である。以上の各種ノズル配設によりデットスペースのない噴射水の散水を可能とした。これにより洗浄性能の向上を図ることができる。
【００２１】
【発明の効果】
以上のことより、前記構成よりなる本発明によれば、洗浄槽内全体に噴射水を万遍なく散布させることができ、洗浄槽内の洗浄に対するデットスペースをなくし、洗浄ムラの少ない、食器の洗浄を行うことができる。
【図面の簡単な説明】
【図１】本発明を具備した卓上食器洗い機の内部構造を示す斜視図である。
【図２】従来の卓上食器洗い機の構造を示す斜視図である。
【図３】上かごの斜視図である。
【図４】下かごの斜視図である。
【図５】本発明を具備した卓上食器洗い機の外観を示す斜視図である。
【図６】本発明を具備した卓上食器洗い機の食器収納用下かごの斜視図である。
【図７】本発明を具備した卓上食器洗い機の食器収納用上かごの斜視図である。
【図８】本発明の棒状固定噴射ノズルの縦断面図と正面図である。
【図９】本発明の棒状固定噴射ノズルの上面図である。
【図１０】本発明の２段噴射拡散固定ノズルの縦断面図である。
【図１１】本発明の２段噴射拡散固定ノズルの下面図である。
【図１２】本発明の２段噴射拡散固定ノズルの横断面図である。
【図１３】本発明のV型噴射固定ノズルの上面図および右側面図である。
【図１４】本発明の半球噴射固定ノズルの斜視図である。
【図１５】本発明の圧力水供給配管噴射ノズルの上面図および拡大上面図と拡大断面図である。
【符号の説明】
１…食器洗い機、２…洗浄ポンプ、３…回転ノズル、４…スイングノズル、５…ロータリーノズル、６…上シャワー固定噴射ノズル、７…スポットノズル、８…送風口、９…洗浄槽、１０…上かご、１１…下かご、１２…レール、１３…ローラ、１４…箸かご、２１…外枠、２２…ドア、２２ａ…上ドア、２２ｂ…下ドア、２９…食器収納用下かご、３０…箸かご、３１…食器収納用上かご、３２…レール、３３…上ガイド、３４…下ガイド、３５…排水ポンプ、 ３６…洗浄ポンプ、３７…送風装置、３８…ポンプモータ、３９…残菜フィルター、４０…シーズヒータ、４１…回転ノズル、４２…小孔、４３…操作パネル、４４…電源スイッチ、４５…スタートボタン、４６…給水口、４７…ポンプ吐出し口、４８…Ｖ型噴射ノズル、５０…送風通路、５１…送風口、５２…排気口、６０…棒状固定噴射ノズル、７０…２段噴射拡散固定ノズル、８０…半球突起噴射固定ノズル、８１…スリット、８２…半球突起、８４ａ…横噴射孔、８４ｂ…斜め噴射孔、８４ｃ…下噴射孔、９１…噴射孔、９２…突起   ９３…ストッパー、９４…円筒ラビリンス、９５…ガイド、１００…噴射水、１０１…圧力水供給配管、１０２…回転ノズル固定軸、１０３…固定ノズル固定軸、１０４…回転ノズル固定軸、１０５…噴射孔、１０６…スリット、１０７…噴射孔、１０８…傾斜
【図１】
0003786022.tif 000002
【図２】
0003786022.tif 000003
【図３】
0003786022.tif 000004
【図４】
0003786022.tif 000005
【図５】
0003786022.tif 000006
【図６】
0003786022.tif 000007
【図７】
0003786022.tif 000008
【図８】
0003786022.tif 000009
【図９】
0003786022.tif 000010
【図１０】
0003786022.tif 000011
【図１１】
0003786022.tif 000012
【図１２】
0003786022.tif 000013
【図１３】
0003786022.tif 000014
【図１４】
0003786022.tif 000015
【図１５】
0003786022.tif 000016